(57)【要約】【課題】  簡単な構造で且つ容易にペットボトルの蓋の開口作業を行うことが可能であるペットボトル用蓋の提供を図る。【解決手段】  ペットボトル用蓋１であって、蓋本体２の側面２ａ周囲全体に、少なくとも一以上の一連の波形状突部３が備え付けられている構造となっている。また、蓋本体２の側面２ａ周囲所定箇所に、少なくとも一以上の凸状突部４が備え付けられている構成を採用し得る。このとき、前記波形状突部３あるいは凸状突部４の表面に、発光塗料５が塗布されている構造とすることも可能である。【選択図】図１
2011037451.tif 000002
【特許請求の範囲】
【請求項１】
ペットボトルの蓋において、蓋本体の側面周囲全体に、少なくとも一以上の一連の波形状突部が備え付けられていることを特徴とするペットボトル用蓋。
【請求項２】
ペットボトルの蓋において、蓋本体の側面周囲所定箇所に、少なくとも一以上の凸状突部が備え付けられていることを特徴とするペットボトル用蓋。
【請求項３】
前記ペットボトル用蓋において、前記波形状突部あるいは凸状突部の表面に、発光塗料が塗布されていることを特徴とする請求項１または請求項２に記載のペットボトル用蓋。
【発明の詳細な説明】
【技術分野】
【０００１】
本発明は、ペットボトルの蓋に関し、詳しくは、突起を備えることでペットボトルの開閉を容易にするペットボトル用蓋に関するものである。
【背景技術】
【０００２】
ペットボトルの内容物を取り出す際に、蓋を回転させて取出口の開口を行うが、従来の蓋の構造によると回転し難く、回転にはかなりの力を要するものであり、特に新規開口の場合に、力不足で蓋を回転させることができず、開口が困難な場合があった。また、手の表面に水分等が付着していると、蓋の周囲で手が滑ってしまって、同様に開口が困難な場合もあった。
【０００３】
上記問題を解決すべく、特開２００９−１２６５１７号公報（特許文献１）や特開２００６−２７３３６５号公報（特許文献２）に記載されているような技術が提案されている。すなわち、これら特許文献１及び特許文献２に記載の技術は、ペットボトルとは別体の蓋を開口するための補助具に関する技術である。
かかる技術によると、確かに該補助具によって蓋の回転が補助され、開口作業を容易に行うことが可能であるが、ペットボトルの開口の場に常に該補助具を携帯しておく必要があり、面倒であるという問題があった。
【０００４】
また、上記問題を解決すべく、特開２００６−２８２２７４号公報（特許文献３）に記載されているような技術が提案されている。すなわち、特許文献３に記載の技術は、ペットボトルの蓋の上面にスライド片を設け、蓋を回転する際に該スライド片をスライドさせて蓋の外周より突出させ、その突出したスライド片を利用して蓋を回転するという技術である。
かかる技術によると、確かにスライド片を利用することで、蓋の持ち手に引っ掛かりができ、確実に蓋の回転を可能とするものであるが、蓋自体にスライド片がスライドするためのスライド機構を設ける必要があり、製造上煩雑であってコストＵＰという問題があった。
【０００５】
【特許文献１】特開２００９−１２６５１７号公報
【特許文献２】特開２００６−２７３３６５号公報
【特許文献３】特開２００６−２８２２７４号公報
【発明の概要】
【発明が解決しようとする課題】
【０００６】
本発明は、上記問題点に鑑みてなされたものであって、簡単な構造で且つ容易にペットボトルの蓋の開口作業を行うことが可能であるペットボトル用蓋を提供することを目的とするものである。
【課題を解決するための手段】
【０００７】
上記課題を解決するため、本発明は、ペットボトルの蓋において、蓋本体の側面周囲全体に、少なくとも一以上の一連の波形状突部が備え付けられている構成を採用している。
【０００８】
また、本発明は、ペットボトルの蓋において、蓋本体の側面周囲所定箇所に、少なくとも一以上の凸状突部が備え付けられている構成を採用することも可能である。
【０００９】
さらに、本発明は、前記ペットボトル用蓋において、前記波形状突部あるいは凸状突部の表面に、発光塗料が塗布されている構成を採用し得る。
【発明の効果】
【００１０】
本発明にかかるペットボトル用蓋によれば、該蓋の側面周囲に備え付けた突部を利用することで、持ち手の滑りを防止して蓋の回転を容易にし、もってペットボトルの開口作業を容易にすることができるという優れた効果を奏するものである。
【００１１】
また、本発明にかかるペットボトル用蓋によれば、蓋の側面周囲に備え付けた突部の表面に発光塗料を塗布することで、夜間や暗闇における蓋本体の視認性向上に資するとともに、審美性を発揮して趣向性向上に資する効果を奏するものである。
【発明を実施するための形態】
【００１２】
以下、本発明にかかるペットボトル用蓋１の実施形態を、図面に基づき説明する。
【実施例１】
【００１３】
図１は、本発明におけるペットボトル用蓋１の一の実施例を示す説明図であり、図１（ａ）は斜視図、図１（ｂ）は平面図である。
【００１４】
図１（ａ）に示すように、本発明にかかるペットボトル用蓋１は、蓋本体２の側面２ａ周囲全体に、一の波形状突部３が備え付けられている構成となっている。
【００１５】
蓋本体２は、ペットボトルの開口部を閉塞するためのものであって、その基本構造並びに材質については、従来ある構造及び材質を採用すればよい。
【００１６】
該蓋本体２の側面２ａ周囲に備え付けられる波形状突部３は、波形状であって、側面２ａ周囲全体を無端状に一連に備え付けられている。
このとき、該波形状突部３の高さについて、特に限定はないが、例えば約３ｍｍ程度の高さとすることが考え得る。
【００１７】
該波形状突部３を前記蓋本体２の側面２ａ周囲に備え付ける方法については、特に限定するものではなく、蓋本体２と波形状突部３とを一体成型する方法も考えられるし、あるいは、別体で成形された波形状突部３を蓋本体２の側面２ａ周囲に接着等により備え付ける方法も考え得る。
【００１８】
また、波形状突部３の材質については、特に限定するものではないが、成形上並びに使用後の廃棄上のことに鑑みると、蓋本体２と同材質とすることが望ましい。
【００１９】
以上の通り構成されるペットボトル用蓋１について、使用に際しては、蓋本体２の側面２ａ周囲に持ち手を配すると、該持ち手の指先が波形状突部３に接触することとなり、その状態で指先と波形状突部３とが合致して、持ち手を回転させた場合に、滑ることなく容易に蓋本体２を回転することが可能となる。
【００２０】
なお、本実施例においては、図面に示すように、蓋本体２の側面２ａ周囲全体に一の波形状突部３を備え付けた場合について説明したが、本発明がかかる構成に限定されるものではなく、蓋本体２の側面２ａ周囲に複数の波形状突部３を備え付ける構成を採用し得ることはいうまでもない。
【実施例２】
【００２１】
図２は、本発明におけるペットボトル用蓋１の他の実施例を示す説明図であり、図２（ａ）は斜視図、図２（ｂ）は平面図である。
【００２２】
図２（ａ）に示すように、本発明にかかるペットボトル用蓋１は、蓋本体２の側面２ａ周囲所定箇所に、複数の凸状突部４が備え付けられている構成となっている。
【００２３】
蓋本体２は、実施例１同様、ペットボトルの開口部を閉塞するためのものであって、その基本構造並びに材質については、従来ある構造及び材質を採用すればよい。
【００２４】
該蓋本体２の側面２ａ周囲に備え付けられる凸状突部４は、凸状であって、側面２ａ周囲の所定箇所に規則的あるいは不規則的に備え付けられている。該凸状突部４の具体的形状について、特に限定するものではないが、例えば、図示されているような略円筒形状のほか、多角筒形状、ドーム形状等、種々の形状が考え得る。
このとき、該凸状突部４の高さについて、特に限定はないが、例えば約３ｍｍ程度の高さとすることが考え得る。
【００２５】
該凸状突部４を前記蓋本体２の側面２ａ周囲に備え付ける方法については、特に限定するものではなく、実施例１と同様に、蓋本体２と波形状突部３とを一体成型する方法や、別体で成形された凸状突部４を蓋本体２の側面２ａ周囲に接着等により備え付ける方法などが考え得る。
【００２６】
なお、凸状突部４の材質についても、特に限定するものではないが、実施例１と同様に蓋本体２と同材質とすることが望ましい。
【００２７】
以上の通り構成されるペットボトル用蓋１について、使用に際しては、蓋本体２の側面２ａ周囲に持ち手を配すると、該持ち手の指先が凸状突部４に接触することとなり、その状態で指先と凸状突部４とが合致して、持ち手を回転させた場合に、滑ることなく容易に蓋本体２を回転することが可能となる。
【００２８】
なお、本実施例においては、図面に示すように、蓋本体２の側面２ａ周囲所定箇所に複数の凸状突部４を備え付けた場合について説明したが、本発明がかかる構成に限定されるものではなく、蓋本体２の側面２ａ周囲に凸状突部４を一のみ備え付ける構成を採用し得ることはいうまでもない。
【実施例３】
【００２９】
上記各実施例において、前記波形状突部３あるいは凸状突部４の表面に、発光塗料５が塗布されている構成を採用し得る。かかる構成を採用することにより、夜間や暗闇における蓋本体２の視認性向上に資するとともに、該発光塗料５を模様的に塗布することで、付加価値的に審美性を発揮させて、観者の趣向性向上に資することが可能になる。
【図面の簡単な説明】
【００３０】
【図１】図１は、本発明におけるペットボトル用蓋の一の実施例を示す説明図である。
【図２】図２は、本発明におけるペットボトル用蓋の他の実施例を示す説明図である。
【符号の説明】
【００３１】
１    ペットボトル用蓋
２    蓋本体
２ａ  側面
３    波形状突部
４    凸状突部
５    発光塗料
【図１】
2011037451.tif 000003
【図２】
2011037451.tif 000004